(57)【特許請求の範囲】
【請求項１】
直列に接続された第１の増幅器と第２の増幅器とを備え、前記第１の増幅器および前記第２の増幅器が共通した第１のドレイン電源に接続された第１の増幅器ユニットと、
直列に接続された第３の増幅器と第４の増幅器とを備え、前記第３の増幅器および前記第４の増幅器が共通した第２のドレイン電源に接続された第２の増幅器ユニットと、
前記第１の増幅器ユニットと前記第２の増幅器ユニットとの間に接続された減衰部とを備え、
前記第１の増幅器と前記第３の増幅器との間で第１のゲート電源が共通化され、前記第２の増幅器と前記第４の増幅器との間で第２のゲート電源が共通化されており、
前記第１の増幅器と前記第３の増幅器には同じゲートバイアス電圧が印加され、
前記第２の増幅器と前記第４の増幅器には同じゲートバイアス電圧が印加され、
前記第１の増幅器と前記第２の増幅器には同じドレインバイアス電圧が印加され、
前記第３の増幅器と前記第４の増幅器には同じドレインバイアス電圧が印加される、
信号増幅装置。
【請求項２】
前記第１の増幅器ユニットは、前記第１の増幅器と前記第２の増幅器を第１パッケージに封止し、
前記第２の増幅器ユニットは、前記第３の増幅器と前記第４の増幅器を第２パッケージに封止している、
請求項１記載の信号増幅装置。
【請求項３】
前記第１の増幅器、前記第２の増幅器、前記減衰部、前記第３の増幅器、および前記第４の増幅器がこの順に並んで直列に接続されている、
請求項１または２記載の信号増幅装置。
【請求項４】
直列に接続された複数の増幅器ユニットと、
前記複数の増幅器ユニットの間にそれぞれ接続された減衰部とを備え、
前記複数の増幅器ユニットのそれぞれは、直列に接続された第１および第２の増幅器を含み、前記複数の増幅器ユニットのそれぞれにおいて、前記第１の増幅器は信号増幅装置の一端側に、前記第２の増幅器は前記信号増幅装置の他端側に設けられ、
前記複数の増幅器ユニットのそれぞれにおける前記第１の増幅器は、他の増幅器ユニットの前記第２の増幅器とゲート電源が共通化され、
前記ゲート電源が共通化された増幅器の組に対して同じゲートバイアス電圧が印加され、
前記第１の増幅器と前記第２の増幅器には同じドレインバイアス電圧が印加される、
信号増幅装置。
【請求項５】
前記減衰部は、信号のレベルを所定のレベルに減衰させるアッテネータを含む、
請求項１から４のうちいずれか１項に記載の信号増幅装置。
【請求項６】
前記減衰部は、抵抗器を含む、
請求項１から４のうちいずれか１項に記載の信号増幅装置。
【発明の詳細な説明】
【技術分野】
【０００１】
本発明の実施形態は、信号増幅装置に関する。
【背景技術】
【０００２】
従来、複数の増幅器を直列に接続して高周波信号を増幅する増幅器ユニットが知られている。増幅器ユニットには、増幅器を駆動させるためにゲート電源およびドレイン電源が接続される。ここで、回路の簡素化のために、増幅器ユニットごとに複数の増幅器に接続されるゲート電源およびドレイン電源を共通化することが行われている。しかしながら、増幅器ユニットごとにゲート電源を共通化すると、複数の増幅器とゲート電源とを接続する線路を通じて増幅器に帰還する高周波信号のレベルが大きくなる。増幅器に帰還する高周波信号の利得が大きくなるほど発振を起こし、増幅器に供給されるゲートバイアス電圧の変動が大きくなり増幅器ユニットの動作が不安定になる場合があった。
【先行技術文献】
【特許文献】
【０００３】
【特許文献１】特開２００５−１２５６０号公報
【特許文献２】特開平８−３３５８３５号公報
【発明の概要】
【発明が解決しようとする課題】
【０００４】
本発明が解決しようとする課題は、増幅器をより安定的に動作させることができる信号増幅装置を提供することである。
【課題を解決するための手段】
【０００５】
実施形態の信号増幅装置は、第１の増幅器ユニットおよび第２の増幅器ユニットと、減衰部とを持つ。第１の増幅器ユニットおよび第２の増幅器ユニットは、直列に接続された２以上の増幅器を備え、互いに直列に接続される。減衰部は、前記第１の増幅器ユニットと前記第２の増幅器ユニットとの間に設けられる。実施形態の信号増幅装置は、前記第１の増幅器ユニットが有する増幅器のうち少なくとも一つの増幅器と、前記第２の増幅器ユニットが有する増幅器のうち少なくとも一つの増幅器との間でゲート電源が共通化されている。前記第１の増幅器と前記第３の増幅器には同じゲートバイアス電圧が印加される。
前記第２の増幅器と前記第４の増幅器には同じゲートバイアス電圧が印加される。前記第１の増幅器と前記第２の増幅器には同じドレインバイアス電圧が印加される。前記第３の増幅器と前記第４の増幅器には同じドレインバイアス電圧が印加される。
【図面の簡単な説明】
【０００６】
【図１】実施形態の信号増幅装置１の構成図。
【図２】実施形態の信号増幅装置１において第１のゲート電源接続部３０−１に発生する帰還ループＬａを説明する図。
【図３】実施形態の信号増幅装置１において第２のゲート電源接続部３０−２に発生する帰還ループＬｂを説明する図。
【図４】実施形態の信号増幅装置１の他の構成図。
【図５】他の実施形態に係る信号増幅装置１Ａの構成図。
【図６】信号増幅装置１Ａの変形例に係る信号増幅装置１Ａａの構成図。
【図７】他の実施形態に係る信号増幅装置１Ｂの構成図。
【発明を実施するための形態】
【０００７】
以下、実施形態の信号増幅装置を、図面を参照して説明する。
【０００８】
図１は、実施形態の信号増幅装置１の構成図である。信号増幅装置１は、例えば、電磁波をアンテナ素子（不図示）により受信したことに応じて生成された高周波信号、またはアンテナ素子により電磁波を送信させるための高周波信号を増幅する装置である。
【０００９】
信号増幅装置１は、例えば、第１の増幅器ユニット１０−１と、第２の増幅器ユニット１０−２と、第１のドレイン電源接続部２０−１と、第２のドレイン電源接続部２０−２と、第１のゲート電源接続部３０−１と、第２のゲート電源接続部３０−２と、減衰部４０とを備える。信号増幅装置１は、例えば、単一の基板に各部を形成するモノリシックマイクロ波集積回路（ＭＭＩＣ（Monolithic  Microwave  Integrated  Circuit）として構成される。なお、以下では、信号増幅装置１が第１の増幅器ユニット１０−１と第２の増幅器ユニット１０−２の２個の増幅器ユニットを備えるものとして説明するが、信号増幅装置１は３個以上の増幅器ユニットを備えていてもよい。
【００１０】
第１の増幅器ユニット１０−１と第２の増幅器ユニット１０−２とは、減衰部４０を挟んで、信号入力端子１ａと信号出力端子１ｂを両端として直列に接続される。第１の増幅器ユニット１０−１は、信号入力端子１ａを介して供給された高周波信号を増幅して第２の増幅器ユニット１０−２側に出力する。第２の増幅器ユニット１０−２は、第１の増幅器ユニット１０−１側から供給された高周波信号を増幅して信号出力端子１ｂに出力する。
【００１１】
第１の増幅器ユニット１０−１および第２の増幅器ユニット１０−２は、それぞれ、直列に接続された２以上の増幅器を備え、２以上の増幅器を樹脂等の封止材によりパッケージに封止している。実施形態において、第１の増幅器ユニット１０−１および第２の増幅器ユニット１０−２は、それぞれ、直列に接続された２個の増幅器１０ａおよび１０ｂをそれぞれ備える。増幅器１０ａおよび１０ｂは、ドレインバイアス電圧およびゲートバイアス電圧が印加された状態で動作して、高周波信号の増幅動作を行う増幅器である。増幅器１０ａおよび１０ｂは、例えば電界効果トランジスタを有する増幅器である。増幅器１０ａおよび１０ｂは、ゲートバイアス電圧およびドレインバイアス電圧が印加された状態でゲートに高周波信号が供給されると、増幅した高周波信号をドレインから出力する。なお、以下の説明は、第１の増幅器ユニット１０−１および第２の増幅器ユニット１０−２が２個の増幅器１０ａおよび１０ｂを備える一構成例について説明するが、各増幅器ユニットは３個以上の増幅器を備えてもよい。
【００１２】
第１の増幅器ユニット１０−１の増幅器１０ａは、信号入力端子１ａを介して供給される高周波信号を増幅して増幅器１０ｂに出力する。第１の増幅器ユニット１０−１の増幅器１０ｂは、増幅器１０ａにより出力された高周波信号を増幅して、第２の増幅器ユニット１０−２側に出力する。第２の増幅器ユニット１０−２の増幅器１０ａは、第１の増幅器ユニット１０−１側から供給される高周波信号を増幅して増幅器１０ｂに出力する。第２の増幅器ユニット１０−２の増幅器１０ｂは、増幅器１０ａにより出力された高周波信号を増幅して、信号出力端子１ｂに出力する。
【００１３】
実施形態の信号増幅装置１において、第１の増幅器ユニット１０−１の増幅器１０ａおよび１０ｂの組は、同じドレインバイアス電圧が印加されて動作するタイプの増幅器である。また、第２の増幅器ユニット１０−２の増幅器１０ａおよび１０ｂの組は、同じドレインバイアス電圧が印加された状態で動作するタイプの増幅器である。さらに、第１の増幅器ユニット１０−１の増幅器１０ａおよび第２の増幅器ユニット１０−２の増幅器１０ａの組は、同じゲートバイアス電圧が印加された状態で動作するタイプの増幅器である。また、第１の増幅器ユニット１０−１の増幅器１０ｂおよび第２の増幅器ユニット１０−２の１０ｂの組は、同じゲートバイアス電圧が印加された状態で動作するタイプの増幅器である。
【００１４】
第１のドレイン電源接続部２０−１は、第１の増幅器ユニット１０−１における２個の増幅器１０ａおよび１０ｂと、ドレイン電源（１）との間に接続される。第１のドレイン電源接続部２０−１は、ドレイン電源端子２０ａと、第１のドレイン電源線路２２ａと、第２のドレイン電源線路２２ｂとを備える。第１のドレイン電源線路２２ａおよび第２のドレイン電源線路２２ｂは、ドレイン電源端子２０ａから分岐した線路である。
【００１５】
第１のドレイン電源線路２２ａは、一方端がドレイン電源端子２０ａに接続され、他方端が第１の増幅器ユニット１０−１の増幅器１０ａに接続される。第１のドレイン電源線路２２ａには、高周波ノイズを吸収するためのデカップリングコンデンサ２４ａが接続されていてもよい。デカップリングコンデンサ２４ａの一方端は第１のドレイン電源線路２２ａに接続され、デカップリングコンデンサ２４ａの他方端はグランド端子２６ａに接続される。
【００１６】
第２のドレイン電源線路２２ｂは、一方端がドレイン電源端子２０ａに接続され、他方端が第１の増幅器ユニット１０−１の増幅器１０ｂに接続される。第２のドレイン電源線路２２ｂには、高周波ノイズを吸収するためのデカップリングコンデンサ２４ｂが接続されていてもよい。デカップリングコンデンサ２４ｂの一方端は第２のドレイン電源線路２２ｂに接続され、デカップリングコンデンサ２４ｂの他方端はグランド端子２６ｂに接続される。
【００１７】
以上のように、信号増幅装置１は、第１のドレイン電源接続部２０−１を備えることにより、第１の増幅器ユニット１０−１の増幅器１０ａおよび１０ｂ間でドレイン電源（１）を共通化させる。
【００１８】
第２のドレイン電源接続部２０−２は、第２の増幅器ユニット１０−２における２個の増幅器１０ａおよび１０ｂと、ドレイン電源（２）との間に接続される。第２のドレイン電源接続部２０−２は、第１のドレイン電源接続部２０−１と同様に、ドレイン電源端子２０ａと、第１のドレイン電源線路２２ａと、第２のドレイン電源線路２２ｂとを備える。これにより、第２のドレイン電源接続部２０−２は、第２の増幅器ユニット１０−２の増幅器１０ａおよび１０ｂ間でドレイン電源（２）を共通化させる。
【００１９】
第１のゲート電源接続部３０−１は、第１の増幅器ユニット１０−１における増幅器１０ａおよび第２の増幅器ユニット１０−２における増幅器１０ａと、ゲート電源（１）とを接続する。第１のゲート電源接続部３０−１は、ゲート電源端子３０ａと、第１のゲート電源線路３２ａと、第２のゲート電源線路３２ｂとを備える。第１のゲート電源線路３２ａおよび第２のゲート電源線路３２ｂは、ゲート電源端子３０ａから分岐した線路である。
【００２０】
第１のゲート電源線路３２ａは、一方端がゲート電源端子３０ａに接続され、他方端が第１の増幅器ユニット１０−１の増幅器１０ａに接続される。第１のゲート電源線路３２ａには、高周波ノイズを吸収するためのデカップリングコンデンサ３４ａが接続されていてもよい。デカップリングコンデンサ３４ａの一方端は第１のゲート電源線路３２ａに接続され、デカップリングコンデンサ３４ａの他方端はグランド端子３６ａに接続される。
【００２１】
第２のゲート電源線路３２ｂは、一方端がゲート電源端子３０ａに接続され、他方端が第２の増幅器ユニット１０−２の増幅器１０ａに接続される。第２のゲート電源線路３２ｂには、高周波ノイズを吸収するためのデカップリングコンデンサ３４ｂが接続されていてもよい。デカップリングコンデンサ３４ｂの一方端は第２のゲート電源線路３２ｂに接続され、デカップリングコンデンサ３４ｂの他方端はグランド端子３６ｂに接続される。
【００２２】
以上のように、信号増幅装置１は、第１のゲート電源接続部３０−１を備えることにより、第１の増幅器ユニット１０−１の増幅器１０ａおよび第２の増幅器ユニット１０−２の増幅器１０ａ間でゲート電源（１）を共通化させる。
【００２３】
第２のゲート電源接続部３０−２は、第１の増幅器ユニット１０−１における増幅器１０ｂおよび第２の増幅器ユニット１０−２における増幅器１０ｂと、ゲート電源（２）との間に接続される。第２のゲート電源接続部３０−２は、第１のゲート電源接続部３０−１と同様に、ゲート電源端子３０ａと、第１のゲート電源線路３２ａと、第２のゲート電源線路３２ｂとを備える。第２のゲート電源接続部３０−２の第１のゲート電源線路３２ａは、ゲート電源端子３０ａと第１の増幅器ユニット１０−１の増幅器１０ｂとを接続する。第２のゲート電源接続部３０−２の第２のゲート電源線路３２ｂは、ゲート電源端子３０ａと第２の増幅器ユニット１０−２の増幅器１０ｂとを接続する。これにより、第２のゲート電源接続部３０−２は、第１の増幅器ユニット１０−１の増幅器１０ｂおよび第２の増幅器ユニット１０−２の増幅器１０ｂ間でゲート電源（２）を共通化させる。
【００２４】
減衰部４０は、第１の増幅器ユニット１０−１により出力された信号のレベルを所定のレベルに減衰させるアッテネータを含む。減衰部４０は、自装置により増幅される信号成分以外の信号成分のレベルを減衰させるものであることが望ましい。減衰部４０は、例えば、第１の抵抗４２、第２の抵抗４４および第３の抵抗４６を備えるπ型減衰器である。第１の抵抗４２は、一方端が第１の増幅器ユニット１０−１の信号出力端に接続され、他方端が第２の増幅器ユニット１０−２の信号入力端に接続される。第２の抵抗４４は、一方端が第１の抵抗４２の入力側に接続され、他方端がグランド端子４４ａに接続される。第３の抵抗４６は、一方端が第１の抵抗４２の出力側に接続され、他方端がグランド端子４６ａに接続される。第１の抵抗４２、第２の抵抗４４および第３の抵抗４６は、信号レベルの減衰量を調整するように抵抗値が設定されることが望ましい。なお、減衰部４０は、リアクタンスのみならず、インダクタおよびキャパシタを備えた構成であってもよい。
【００２５】
図２は、実施形態の信号増幅装置１において第１のゲート電源接続部３０−１に発生する帰還ループＬａを説明する図である。図３は、実施形態の信号増幅装置１において第２のゲート電源接続部３０−２に発生する帰還ループＬｂを説明する図である。
信号増幅装置１は、第１の増幅器ユニット１０−１および第２の増幅器ユニット１０−２により高周波信号の増幅動作を行うと、第１の増幅器ユニット１０−１および第２の増幅器ユニット１０−２により出力された高周波信号が第１の増幅器ユニット１０−１および第２の増幅器ユニット１０−２のゲートバイアス電圧の供給線路に帰還する帰還ループが形成される。帰還ループＬａは、図２に示すように、第１の増幅器ユニット１０−１および第２の増幅器ユニット１０−２の増幅器１０ａから、第１のゲート電源接続部３０−１の第２のゲート電源線路３２ｂおよび第１のゲート電源線路３２ａを通って減衰部４０に供給される。また、帰還ループＬｂは、図３に示すように、第１の増幅器ユニット１０−１および第２の増幅器ユニット１０−２の増幅器１０ａから、第２のゲート電源接続部３０−２の第２のゲート電源線路３２ｂおよび第１のゲート電源線路３２ａを通って減衰部４０に供給される。帰還ループＬａおよびＬｂに流れる信号は、減衰部４０を通過することによって減衰される。これにより、信号増幅装置１は、帰還ループＬａおよびＬｂを形成する信号のレベルを減衰することができる。
【００２６】
以上説明したように、実施形態の信号増幅装置１によれば、第１の増幅器ユニット１０−１と第２の増幅器ユニット１０−２との間に減衰部４０を設け、第１の増幅器ユニット１０−１の増幅器と第２の増幅器ユニット１０−２の増幅器とでゲート電源を共通化している。具体的には、実施形態の信号増幅装置１は、第１の増幅器ユニット１０−１の増幅器および第２の増幅器ユニット１０−２の増幅器とゲート電源とを第１のゲート電源線路３２ａおよび第２のゲート電源線路３２ｂにより接続し、第１の増幅器ユニット１０−１の信号出力側と第２の増幅器ユニット１０−２の信号入力側との間に減衰部４０を設ける。これにより、実施形態の信号増幅装置１は、第１の増幅器ユニット１０−１および第２の増幅器ユニット１０−２により増幅された高周波信号が第１のゲート電源線路３２ａおよび第２のゲート電源線路３２ｂに流れて帰還ループＬａおよびＬｂが形成されても、帰還ループＬａおよびＬｂを形成する信号のレベルを減衰部４０により抑制することができる。この結果、実施形態の信号増幅装置１によれば、増幅器ユニットに供給されるゲートバイアス電圧の変動が大きくなることを抑制することができ、増幅器ユニットをより安定的に動作させることができる。
また、実施形態の信号増幅装置１によれば、パッケージ化された第１の増幅器ユニット１０−１内または第２の増幅器ユニット１０−２内に減衰部４０を設ける必要がないので、安価に増幅器ユニットに供給されるゲートバイアス電圧の変動が大きくなることを抑制することができる。
【００２７】
図４は、実施形態の信号増幅装置１の他の構成図である。上述した実施形態の信号増幅装置１において、減衰部４０は、アッテネータに替えて抵抗器４００を備えていてもよい。抵抗器４００は、帰還ループを形成する高周波信号の利得を抑制するように信号レベルを低減できる抵抗値に設定されていることが望ましい。実施形態の信号増幅装置１によれば、抵抗器４００により帰還ループを形成する信号のレベルを減衰させることができる。
【００２８】
図５は、他の実施形態に係る信号増幅装置１Ａの構成図である。なお、図５は、他の実施形態の構成として増幅器ユニットが３つの例を示したが、２以上の増幅器ユニットを備える構成であればよいことは勿論である。信号増幅装置１Ａは、２個の増幅器１０ａおよび１０ｂを備える増幅器ユニット１０−１、１０−２および１０−３が３つ直列に接続される。また、信号増幅装置１Ａは、第１の増幅器ユニット１０−１と第２の増幅器ユニット１０−２との間に減衰部４０−１が接続され、第２の増幅器ユニット１０−２と第３の増幅器ユニット１０−３との間に減衰部４０−２が接続される。
【００２９】
信号増幅装置１Ａは、第１の増幅器ユニット１０−１の２個の増幅器１０ａおよび１０ｂの間でドレイン電源（１）を共通化する。また、信号増幅装置１Ａは、第２の増幅器ユニット１０−２の２個の増幅器１０ａおよび１０ｂの間でドレイン電源（２）を共通化する。さらに、信号増幅装置１Ａは、第３の増幅器ユニット１０−３の２個の増幅器１０ａおよび１０ｂの間でドレイン電源（３）を共通化する。
【００３０】
信号増幅装置１Ａは、ゲート電源（１）、（２）および（３）から分岐する第１のゲート電源線路３２ａおよび第２のゲート電源線路３２ｂを異なる増幅器ユニットの増幅器に接続する。信号増幅装置１Ａは、ゲート電源（１）に接続される第１のゲート電源線路３２ａを第１の増幅器ユニット１０−１の増幅器１０ａに接続し、第２のゲート電源線路３２ｂを第３の増幅器ユニット１０−３の増幅器１０ａに接続する。これにより、信号増幅装置１Ａは、第１の増幅器ユニット１０−１の増幅器１０ａと第３の増幅器ユニット１０−３の増幅器１０ａとの間でゲート電源（１）を共通化する。また、信号増幅装置１Ａは、ゲート電源（２）に接続される第１のゲート電源線路３２ａを第１の増幅器ユニット１０−１の増幅器１０ｂに接続し、第２のゲート電源線路３２ｂを第２の増幅器ユニット１０−２の増幅器１０ｂに接続する。これにより、信号増幅装置１Ａは、第１の増幅器ユニット１０−１の増幅器１０ｂと第２の増幅器ユニット１０−２の増幅器１０ｂとの間でゲート電源（２）を共通化する。さらに、信号増幅装置１Ａは、ゲート電源（３）に接続される第１のゲート電源線路３２ａを第２の増幅器ユニット１０−２の増幅器１０ａに接続し、第２のゲート電源線路３２ｂを第３の増幅器ユニット１０−３の増幅器１０ｂに接続する。これにより、信号増幅装置１Ａは、第２の増幅器ユニット１０−２の増幅器１０ａと第３の増幅器ユニット１０−３の増幅器１０ｂとの間でゲート電源（３）を共通化する。
【００３１】
この信号増幅装置１Ａによれば、第１の増幅器ユニット１０−１の増幅器１０ａおよび第３の増幅器ユニット１０−３の増幅器１０ａを含む帰還ループに流れる信号を減衰部４０−１および４０−２により減衰することができる。また、信号増幅装置１Ａによれば、第１の増幅器ユニット１０−１の増幅器１０ｂおよび第２の増幅器ユニット１０−２の増幅器１０ｂを含む帰還ループに流れる信号を減衰部４０−１により減衰することができる。さらに、信号増幅装置１Ａによれば、第１の増幅器ユニット１０−１の増幅器１０ａおよび第３の増幅器ユニット１０−３の増幅器１０ｂを含む帰還ループに流れる信号を減衰部４０−２により減衰することができる。したがって、信号増幅装置１Ａによれば、上述した信号増幅装置１と同様に、増幅器ユニットに供給される高周波信号の変動が大きくなることを抑制できすることができ、増幅器ユニットをより安定的に動作させることができる。
【００３２】
図５に示した増幅器ユニット１０−１、１０−２および１０−３が３つ直列に接続される構成において、ゲート電源（１）、（２）および（３）と接続される第１のゲート電源線路３２ａおよび第２のゲート電源線路３２ｂは、図６に示すように変更されてもよい。図６は、信号増幅装置１Ａの変形例に係る信号増幅装置１Ａａの構成図である。信号増幅装置１Ａａは、ゲート電源（１）と第１の増幅器ユニット１０−１の増幅器１０ａおよび第３の増幅器ユニット１０−３の増幅器１０ｂとを接続して、第１の増幅器ユニット１０−１と第３の増幅器ユニット１０−３との間でゲート電源（１）を共通化する。信号増幅装置１Ａａは、ゲート電源（２）と第１の増幅器ユニット１０−１の増幅器１０ｂおよび第２の増幅器ユニット１０−２の増幅器１０ａとを接続して、第１の増幅器ユニット１０−１と第２の増幅器ユニット１０−２との間でゲート電源（２）を共通化する。信号増幅装置１Ａａは、ゲート電源（３）と第２の増幅器ユニット１０−２の増幅器１０ｂおよび第３の増幅器ユニット１０−３の増幅器１０ａとを接続して、第２の増幅器ユニット１０−２と第３の増幅器ユニット１０−３との間でゲート電源（３）を共通化する。
【００３３】
図７は、他の実施形態に係る信号増幅装置１Ｂの構成図である。変形例の信号増幅装置１Ｂは、第１の増幅器ユニット１０−１の増幅器と第２の増幅器ユニット１０−２の増幅器との間でドレイン電源（１）および（２）を共通化する。
【００３４】
信号増幅装置１Ｂは、ドレイン電源（１）に接続されるドレイン電源端子２０ａから分岐した第１のドレイン電源線路２２ａを第１の増幅器ユニット１０−１の増幅器１０ａに接続する。また、信号増幅装置１Ｂは、ドレイン電源（１）に接続されるドレイン電源端子２０ａから分岐した第２のドレイン電源線路２２ｂを第２の増幅器ユニット１０−２の増幅器１０ａに接続する。これにより、信号増幅装置１Ａは、第１の増幅器ユニット１０−１の増幅器１０ａおよび第２の増幅器ユニット１０−２の増幅器１０ａを含む帰還ループに流れる信号を減衰部４０により減衰することができる。
【００３５】
信号増幅装置１Ｂは、ドレイン電源（２）に接続されるドレイン電源端子２０ａから分岐した第１のドレイン電源線路２２ａを第１の増幅器ユニット１０−１の増幅器１０ｂに接続する。また、信号増幅装置１Ａは、ドレイン電源（２）に接続されるドレイン電源端子２０ａから分岐した第２のドレイン電源線路２２ｂを第２の増幅器ユニット１０−２の増幅器１０ｂに接続する。これにより、信号増幅装置１Ａは、第１の増幅器ユニット１０−１の増幅器１０ｂおよび第２の増幅器ユニット１０−２の増幅器１０ｂを含む帰還ループに流れる信号を減衰部４０により減衰することができる。
【００３６】
この信号増幅装置１Ｂによれば、上述した実施形態の効果を奏する共に、第１の増幅器ユニット１０−１および第２の増幅器ユニット１０−２により増幅された高周波信号が第１のドレイン電源線路２２ａおよび第２のドレイン電源線路２２ｂに流れて帰還ループが形成されても、増幅器のドレインに帰還する信号を減衰部４０により抑制して、増幅器により出力される高周波信号が変動することを抑制することができ、増幅器をより安定的に動作させることができる。
【００３７】
以上説明した少なくともひとつの実施形態によれば、直列に接続された２以上の増幅器１０ａおよび１０ｂを備え、互いに直列に接続された複数の第１の増幅器ユニット１０−１および第２の増幅器ユニット１０−２と、第１の増幅器ユニット１０−１と第２の増幅器ユニット１０−２との間に設けられた減衰部４０と、を備え、第１の増幅器ユニット１０−１が有する増幅器のうち少なくとも一つの増幅器と、第２の増幅器ユニット１０−２が有する増幅器のうち少なくとも一つの増幅器との間でゲート電源が共通化されているので、増幅器１０ａおよび１０ｂに帰還する信号を減衰部４０により減衰させることができる。この結果、実施形態の信号増幅装置１によれば、増幅器１０ａおよび１０ｂに供給されるゲートバイアス電圧の変動を抑制して、増幅器ユニットをより安定的に動作させることができる。
【００３８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３９】
１、１Ａ…信号増幅装置、１０−１…第１の増幅器ユニット、１０−２…第２の増幅器ユニット、１０ａ…増幅器、１０ｂ…増幅器、２０−１…第１のドレイン電源接続部、２０−２…第２のドレイン電源接続部、２０ａ…ドレイン電源端子、２２ａ…第１のドレイン電源線路、２２ｂ…第２のドレイン電源線路、３０−１…第１のゲート電源接続部、３０−２…第２のゲート電源接続部、３０ａ…ゲート電源端子、３２ａ…第１のゲート電源線路、３２ｂ…第２のゲート電源線路、４０…減衰部、４２…第１の抵抗、４４…第２の抵抗、４６…第３の抵抗、４００…抵抗器
【図１】
0006595217.tif 000002
【図２】
0006595217.tif 000003
【図３】
0006595217.tif 000004
【図４】
0006595217.tif 000005
【図５】
0006595217.tif 000006
【図６】
0006595217.tif 000007
【図７】
0006595217.tif 000008